(57)【要約】【課題】  近年多発する異常気象を低減させるために、原因の一つであろう高海面温度を、正常な海面温度にしようとするものである。【解決手段】  海面下、平均２００メートル以下に無尽蔵に存在する、深層水を効率よく上昇させ、海面に排出拡散させるものである。  丈夫な布を縫製し長い円筒形状を製作。この布円筒が立体的に円筒となるように布外周に適当な間隔で布製のホースを巻き付け、布とホースを一体化しホース内を満水にすることで円筒形を維持させる。  この布円筒の一方を海面側、他方には重しをつけて沈める。  海面側の布円筒内の海水をスクリューで排出することで、自然に深層水が上昇し、排出拡散され海面温度を低下させ、目的を達成するものである。【選択図】図１
2020055511.tif 000002
【特許請求の範囲】
【請求項１】
布、ビニール、プラスチックフイルムの円筒形物体を海面から海底方向に沈め、円筒内上部の海水を排出することで、冷海水を上昇させ、排出拡散させることを、特徴とする深層水上昇拡散装置。
【発明の詳細な説明】
【技術分野】
【０００１】  本発明は低温度で無尽蔵に存在する海洋深層水を上昇させ海面に拡散して、海面温度を低下させ、近年多発する異常気象を低減させることを目的とするものである。
【背景技術】
【０００２】  従来より深層水に関するものとしては、深層水を人体の健康のために利用するための、吸い上げポンプに関する装置はあるが、本発明装置とは、類似するものではない。
【先行技術文献】
【特許文献】
【０００３】  なし
【非特許文献】
【０００４】  なし
【発明の概要】
【発明が解決しようとする課題】
【０００５】  近年多発する異常気象の原因の一つであろう、高海面温度を低下させるために、海面下、平均２００メートル以下に、無尽蔵に存在する深層水を効率よく上昇させて、海面に排出拡散させ、海面温度を低下させることを目的とするものである。
【課題を解決するための手段】
【０００６】  本発明は深層水を効率よく上昇させるために、海面に浮いた筐体裏より深層水帯に届く、円筒形の布を沈め筐体内に装備された電動機より筐体裏に出た軸に取り付けられたスクリューにて円筒形の布内上部の海水を排出することにより、自然に深層水が湧き出るように上昇する。結果深層水を海面に排出拡散することとなる。
【発明の効果】
【０００７】  本発明の装置を必要海域で運転すれば、その海域の海面温度が低下し気象上好結果を得ることができる。
【図面の簡単な説明】
【０００８】
【図１】  本発明の実施形態を示す、深層水上昇拡散装置の主要部を誇張して示す正面図である。
【図２】  図１内に示すＡ―Ａ断面を上方から見た平面図である。
【図３】  図１内に示すＢーＢ断面を上方から見た金属製ウエイトの平面図である。
【図４】  バランスウエイトと布製ホースと布円筒保護鎖と布円筒引き上げワイヤロープの関連を示す詳細側面図である。
【図５】  図４の正面図である。
【図６】布円筒の円形維持と、拡散円板を広げ、平面化の維持に使用されている二種類の布製のホースと、注水排気排水金具と注水排気排水中継金具の接続詳細図である。
【図７】  鉤状フックに布円筒と拡散円板が取り付けられた状態を示す詳細側面図である。
【図８】  図７の平面図である。
【発明を実施するための形態】
【０００９】  以下、本発明の実施の形態を図面に基ずいて説明する。
【００１０】  図面において１は、布円筒で、丈夫な布製で海面から深層水が存在する深層水帯に届く長さである。布円筒の上側円周には多くの取り付け穴が設けてある。１の布円筒の下側円周は、図３に示す金属製ウエイトの外周と、１７の帯鋼で布をはさみ金属製ウエイトが取り付けてある。
さらに、金属製ウエイトを引き揚げると、１の布円筒が金属製ウエイト上に載るために金属製の格子が設けてある。
２は、拡散円板で、丈夫な布製である。拡散される深層水が海面水との温度差による比重差で早期に沈下するのを防止し、両水の熱交換の機会を増すためのものである。
２の拡散円板の内周には、１の布円筒に設けられた取り付け穴と同数の取り付け穴が設けてある。
３は、スクリューである。１の布円筒内上部の海水を排出するためのものである。
４は、３のスクリューを回転させる電動機である。
５は、筐体である。本発明の装置全体を海面に浮かせるためのものである。
６は、スクリューカバーで金属製である。
７は、整流カバーで金属製である。
８は、整流板で金属製である。６のスクリューによって排出される海水を効率よく拡散するためのものである。
９は、整流円盤で金属製である。６のスクリューカバーと、８の整流板と三者一体となっている。９の整流盤は１０の金属支柱で５の筐体裏に取り付けてある。
１１は、鉤状フックである。金属製で、９の整流円盤の外周に、１の布円筒の取り付け穴と同数、設けられ、図７と図８に示すように、１の布円筒と、２の拡散円板が取り付けてある。
１２は、布製ホースである。１の布円筒の外周上下適当な間隔で取り付けられ、１２の布製ホースと、１の布円筒は一体になっている。
１３は、布製ホースである。２の拡散円板の外周と内周にも適当な間隔で取り付けられ、１３の布製ホースと、２の拡散円板は一体となっている。
１２と１３の布製ホースは、図６に示すように、１４の注水排気排水金具と、１５の注水排気排水中継金具と、１６の布製ホースに接続されている。１の布円筒と、２の拡散円板に取り付けられた、１６の布製ホースのそれぞれは、５の筐体内に設置された別々の注水排気排水バルブに接続され、注水バルブは、５の筐体内に設置された注水ポンプに接続されている。
１２の布製ホースそれぞれを、満水にすることで、１の布円筒の円筒形状を維持する。
１３の布製ホースそれぞれを、満水にすることで、２の拡散円板の円盤形状を維持する。
１８は、バランスウエイトである。金属製で、図４と図５に詳細に示すように、１２の布製ホースをはさみ、１の布円筒の内側より、１９のバランスウエイト板で取り付けてある。
１８のバランスウエイトと、１９のバランスウエイト板は、１の布円筒が海中で深度によって異なる海流によって蛇行や、湾曲するのを弱めるためのものである。
１９のバランスウエイト板は、９の清流円盤裏側に設けた、鎖止めに接続された、２０の保護鎖で上下、金属製ウエイトまで接続されている。
２１は、ロープガイドである。
２２は、ワイヤロープである。図１の中で太い一点鎖線で示してある。１の布円筒を金属製ウエイトと共に引き揚げるものである。２２のワイヤロープは、５の筐体内に設置された巻き揚機に接続されている。
２０の保護鎖は、２２のワイヤロープを緩め、１の布円筒が最深部に到達したときに、１８のバランスウエイト、１９のバランスウエイト板を含む金属製ウエイトの重量が１の布円筒の負荷にならないようにするためのものである。
２３は、浮子である。拡散円板が海面水と深層水の温度差による比重差による重さで沈下するのを防止するために、適当な位置にロープで取り付けてある。
２４は、海面を示す。
本発明の装置を運転する電源は、５の筐体内に発電機を設置するか、本発明の装置を移動させる曳航船から供給するか、太陽光発電装置を併設する。また電動機をエンジンとしてもよい。
本発明の装置を運転するには、２２のワイヤロープを緩め、１の布円筒を沈める。次に、２の拡散円板を海面に浮かべ、１６の布製ホースに接続された、注水バルブと、排気排水バルブを開き、５の筐体内に設置した海水ポンプから注水する。１２と１３の布製ホースから排気が完了したら、それぞれの排気排水バルブを閉じる。１２と１３の布製ホースが満水になりポンプ圧がかかれば、１の布円筒は、円筒形状を海中で維持でき、２の拡散円板は円板形状を維持できる。
そして、電動機を運転すれば、発明が解決しようとする課題を達成することができる。
【実施例】
【００１１】  図面において、４の電動機出力合計が３００キロワットとし、布円筒の直径が１０メートル、長さが２５０メートルとしたとき、深層水が拡散される水量は、
水量（ｍ３／Ｓ）＝３００（ＫＷ）×効率／９．８×揚程（ｍ）  この式において揚程は０であるが海面水と深層水の温度差による比重さで０．５メートルとし、効率を０．７として計算すると、毎秒４２立方メートルとなり一時間当たり１５０，０００立方メートルとなる。
１の布円筒内の上昇流速は平均毎秒０．５５メートルとなる。
【産業上の利用可能性】
【００１２】  本発明の装置を多量に製造し太平洋全域、世界の全海域に配置し必要に応じて運転すれば、より安定した気候を取り戻すことができる。
また、１の布円筒の長さを短くした装置を製作して、運転すれば海水温度の微調整ができ、また、スクリューの回転を反対にして、海面水を海中に拡散することで、漁場の調整ができる。
【符号の説明】
【００１３】  １    布円筒
２    拡散円板
３    スクリュー
４    電動機
５    筐体
６    スクリューカバー
７    整流カバー
８    整流板
９    整流円盤
１０  支柱
１１  鉤状フック
１２  布製ホース
１３  布製ホース
１４  注水排気排水金具
１５  注水排気排水中継金具
１６  布製ホース
１７  帯鋼
１８  バランスウエイト
１９  バランスウエイト板
２０  保護鎖
２１  ロープガイド
２２  ワイヤロープ
２３  浮子
２４  海面
【図１】
2020055511.tif 000003
【図２】
2020055511.tif 000004
【図３】
2020055511.tif 000005
【図４】
2020055511.tif 000006
【図５】
2020055511.tif 000007
【図６】
2020055511.tif 000008
【図７】
2020055511.tif 000009
【図８】
2020055511.tif 000010